(57)【特許請求の範囲】
【請求項１】
転写紙縦搬送部に転写紙ジャムが発生した際に転写紙を除去するために開閉する第１の縦搬送解除カバーを有する画像形成装置本体と、この画像形成装置本体の下部に該本体が着脱可能に取り付けられるように設置された給紙バンクとを備え、給紙バンクには、第１の縦搬送解除カバーと連動して開閉する第２の縦搬送解除カバーが設けられ、画像形成装置本体が給紙バンクから取り外して移動されたときに、第１の縦搬送解除カバーを固定して開放不能とする手段と、第２の縦搬送解除カバーを固定して開放不能とする手段とを有することを特徴とする画像形成装置。
【請求項２】
転写紙縦搬送部に転写紙ジャムが発生した際に転写紙を除去するために開閉する第１の縦搬送解除カバーを有する画像形成装置本体と、この画像形成装置本体の下部に該本体が着脱可能に取り付けられるように設置された給紙バンクとを備え、給紙バンクには、前記第１の縦搬送解除カバーと連動して開閉する第２の縦搬送解除カバーが設けられているとともに、引出し可能な給紙トレイが設けられ、画像形成装置本体が給紙バンクから取り外して移動されたときに、第１の縦搬送解除カバーを固定して開放不能とする手段と、給紙トレイを固定して移動不能とする手段と有することを特徴とする画像形成装置。
【請求項３】
給紙バンクと画像形成装置本体とが分離されたときに、第２の縦搬送解除カバーを固定して開放不能とする手段とを有することを特徴とする請求項２に記載の画像形成装置。
【発明の詳細な説明】
【０００１】
【発明の属する技術分野】
本発明は、複写機、ファクシミリ、プリンタ等の画像形成装置に関する。
【０００２】
【従来の技術】
大きさが中型クラス以下であり、移動可能な卓上型の従来の画像形成装置は、移動用のキャスターが装備されず、２人以上の人間によって持ち運ばれることが多い。また、サービス性、操作性の向上を目的として機能ごとにユニット化され、それぞれのユニットをレールの上に移動可能に載置してレールに沿って外部に突出できるようにしたものが多くなっている。さらに、オプションとして装置本体の下方に給紙バンクを設け、装置本体と同様に、縦搬送解除カバー、即ち転写紙縦搬送部に転写紙ジャムが発生した際に転写紙を除去するため開閉するカバーを給紙バンクに対して簡単にマグネット接続したものが増えている。
【０００３】
【発明が解決しようとする課題】
この種の画像形成装置は、持ち運び移動時に各ユニットを固定する手段を有するが、縦搬送解除カバーを装置本体や給紙バンクに対して簡単にマグネット接続しているだけであるため、持ち運び移動時の不安定状態では、軽微な振動やたわみによって縦搬送解除カバーが不意に開きやすく、移動作業者が怪我をする危険があるという問題があり、また縦搬送解除カバーが開く際の衝撃により破損するおそれもあるという問題がある。
【０００４】
また、給紙バンクと装置本体の受け渡し部近傍で転写紙のジャムが発生すると、移動作業者は給紙バンクと装置本体のどちらにジャム紙があるのかわからず、オペレータは給紙バンクと装置本体の両方の縦搬送解除カバーをそれぞれ開放して点検しなければならず、縦搬送ジャムに対して迅速に対処できないという問題もある。
【０００５】
さらに、従来の給紙バンクは、移動時の不安定状態では軽微な振動やたわみによって不意に給紙トレイが飛び出しやすく、移動時に作業者が怪我をしたり、給紙トレイが衝撃により破損するおそれがあるという問題もある。
【０００６】
本発明は上記従来の問題点に鑑み、安全に移動可能な画像形成装置を提供することを目的とする。また本発明はジャム時の縦搬送解除カバーの開放、点検が容易な画像形成装置を提供することをも目的とする。
【０００７】
【課題を解決するための手段】
本発明の画像形成装置のうち請求項１に係るものは、転写紙縦搬送部に転写紙ジャムが発生した際に転写紙を除去するために開閉する第１の縦搬送解除カバーを有する画像形成装置本体と、この画像形成装置本体の下部に該本体が着脱可能に取り付けられるように設置された給紙バンクとを備え、給紙バンクには、第１の縦搬送解除カバーと連動して開閉する第２の縦搬送解除カバーが設けられ、画像形成装置本体が給紙バンクから取り外して移動されたときに、第１の縦搬送解除カバーを固定して開放不能とする手段と、第２の縦搬送解除カバーを固定して開放不能とする手段とを有することを特徴とする画像形成装置である。
【０００８】
同請求項２に係る画像形成装置は、転写紙縦搬送部に転写紙ジャムが発生した際に転写紙を除去するために開閉する第１の縦搬送解除カバーを有する画像形成装置本体と、この画像形成装置本体の下部に該本体が着脱可能に取り付けられるように設置された給紙バンクとを備え、給紙バンクには、前記第１の縦搬送解除カバーと連動して開閉する第２の縦搬送解除カバーが設けられているとともに、引出し可能な給紙トレイが設けられ、画像形成装置本体が給紙バンクから取り外して移動されたときに、第１の縦搬送解除カバーを固定して開放不能とする手段と、給紙トレイを固定して移動不能とする手段と有することを特徴とする画像形成装置である。
【０００９】
同請求項３に係る画像形成装置は、請求項２に記載の画像形成装置において、給紙バンクと画像形成装置本体とが分離されたときに、第２の縦搬送解除カバーを固定して開放不能とする手段とを有することを特徴とする。
【００１１】
【発明の実施形態】
以下、本発明の実施形態に係る画像形成装置について図面を参照して説明する。
図１は本発明に係る画像形成装置の第１の実施形態を示す斜視図である。本実施形態の画像形成装置は、装置本体１の上面に原稿読み取り部２７を配し、前面に給紙トレイ２８を図中前方へ引き出し可能に配してある。また右側面には、縦搬送解除カバー３を図中奥側の図示せぬ支点により開閉自在に軸支し、図中手前端近くでマグネット接続してある。
【００１２】
装置本体１は把手５を有するが、この把手５は、図２に示すように長尺状のものであり、一端をグリップ部６、他端を切り開き部７としてある。装置本体１の持ち運び移動時に、作業者は把手５を引き出してグリップ部６を握って持ち上げ得るようになっている。切り開き部７は、把手５を引き出した時に装置本体１の本体側面に当接し、把手５が抜け落ちないようにするストッパーとなる。装置本体１を固定する時には、把手５は装置本体１内に収納する。
【００１３】
図３は、把手５を収納した時の把手５と縦搬送解除カバー３との関係を示す概略斜視図であり、図４は把手５を引き出した時の把手５と縦搬送解除カバー３との関係を示す概略斜視図である。縦搬送解除カバー３の図中奥側の端にはヒンジ８を突設してあり、ヒンジ８は回転支点９によって装置本体１に軸支してある。またヒンジ８には、縦搬送カバー３の本体と回転支点９をはさんで反対の部分に曲げ部１０を設けてある。
【００１４】
把手５を装置本体１の内部に収納している時には、図３に示すように、把手５の切り開き部７が装置本体１の図中左右方向の中央近くにあるので、ヒンジ８の曲げ部１０と把手５の切り開き部７が干渉せず、縦搬送カバー３を自由に開閉することができる。一方、装置本体１を移動するために把手５を引き出している時には、図４に示すように、把手５の切り開き部７は装置本体１の図中右側面近くにあるので、ヒンジ８の曲げ部１０に把手５の切り開き部７が突き当たってヒンジ８が回転支点９を中心に回転できず、縦搬送解除カバー３は開閉できなくなる。従って、装置本体１の移動中に、縦搬送解除カバー３が不意に開くことがなく、移動作業者が怪我をしたり、縦搬送カバー３が破損することがない。
【００１５】
図５は本発明に係る画像形成装置の第２の実施形態の斜視図である。本実施形態の画像形成装置は、下側の給紙バンク２上に第１実施形態と同様の装置本体１を搭載したもので、給紙バンク２は、前面に給紙トレイ２４を図中前方へ引き出し可能に配し、図中右側面には縦搬送解除カバー４を図中奥側の支点により開閉自在に軸支し、図中手前端あるいは自由端近くでマグネット接続してある。
【００１６】
図５に示すように、装置本体１の縦搬送解除カバー３の自由端近くの下面に、ピン１１を下方へ突出させて設けてあり、これに対応させて給紙バンク２の縦搬送解除カバー４の自由端近くの上面には穴１２を設けてある。装置本体１を給紙バンク２上に載置する際には、ピン１１を穴１２に嵌め、装置本体１の縦搬送解除カバー３と給紙バンク２の縦搬送解除カバー４を連結する。従って、装置本体１の縦搬送解除カバー３を開閉すると給紙バンク２の縦搬送カバー４も連動して開閉する。このため、転写紙のジャムが生じ、オペレータが点検しようとする時に、装置本体１の縦搬送カバー３と給紙バンク２の縦搬送解除カバー４を一度に一緒に開閉でき、ジャム紙を迅速に除去できる。一方、移動等のために装置本体１と給紙バンク２を分離させると、移動作業者が給紙バンク２の縦搬送カバー４を単独で開閉させられなくなる。
【００１７】
図６は本発明に係る画像形成装置の第３の実施形態を示す斜視図である。本実施形態は、装置本体１の底面の図中右奥角近くに押し出しピン１３を下方へ突設し、対向する給紙バンク２の上面の右奥角近くに受け部１４を設け、受け部１４の内部に丸棒状の突き上げピン１５を収納し、突き上げピン１５の下に接して配したバネ１６によって突き上げピン１５を常に上方に突き上げ付勢して構成してある。またヒンジ８に設けた貫通孔１８に固定ピン１７を挿入し、これを突き上げピン１５と連結し、連動して上下移動するようにしてある。
【００１８】
このため通常は、バネ１６によって突き上げピン１５を上方に突き上げ、連動して固定ピン１７を上方位置に位置させ、ヒンジ８の貫通孔１８に挿入し、その結果として縦搬送カバー４が固定され、開閉不可能となる。一方、装置本体１を給紙バンク２の上に載置すると、押し出しピン１３が受け部１４に嵌まり込み、突き上げピン１５に押し出しピン１３が接し、バネ１６に抗して突き上げピン１５を押し下げる。すると、固定ピン１７が連動して下がり、ヒンジ８の貫通孔１８から固定ピン１７が抜け、その結果として固定が解除され、給紙バンク２の縦搬送カバー４が開閉可能となる。
【００１９】
図７は本発明に係る画像形成装置の第４の実施形態を示す斜視図である。本実施形態は、装置本体１の底面の図中右奥角近くに押し出しピン１９を下方へ突設し、対向する給紙バンク２の上面の右奥角近くに受け部２０を設け、受け部２０の内部に丸棒状の収納し、突き上げピン２１の下に接して配置したバネ２２によって突き上げピン２１を常に上方に突き上げ付勢して構成してある。まあＴ固定ピン２３を突き上げピン２１と連結し、連動して上下移動するようにしてある。
【００２０】
このため通常は、バネ２２によって突き上げピン２１を上方に突き上げ、連動して固定ピン２３を上方位置に位置させ、給紙バンク２の給紙トレイ２４の底面２５の右奥角近くに形成した係合穴２６に挿入し、その結果として給紙トレイ２４を固定し、前方へレールに沿って飛び出ないようにする。
【００２１】
一方、装置本体１を給紙バンク２の上に載置すると、押し出しピン１９が受け部２０に嵌まり込み、突き上げピン２１に押し出しピン１９が接し、バネ２２に抗して突き上げピン２１を押し下げる。すると、固定ピン２３が連動して下がり、給紙トレイ２４の底面２５の係合穴２６から固定ピン２３が抜け、その結果として、給紙トレイ２４の固定を解除して自由に引き出し、押し込みができるようになる。
【００２２】
【発明の効果】
請求項１に係る画像形成装置は、以上説明してきたように、装置本体の移動時に縦搬送解除カバーが不意に開閉しなくなり、移動作業者が怪我をする危険が少なくなり、縦搬送解除カバーの破損が避けられるようになるという効果がある。
また、装置本体の縦搬送解除カバーと給紙バンクの縦搬送解除カバーを接続して開閉を連動させるようにしたので、移動時に装置本体と給紙バンク双方の縦搬送解除カバーが開かなくなり、上記共通の効果に加え、縦搬送部に生ずる転写紙ジャムに対し一度で迅速に処理できるようになるという効果がある。
さらに、給紙バンクを装置本体から分離した時に給紙バンクの縦搬送解除カバーを固定して開放不能とするので、装置本体と給紙バンクを分離して移動させている時に、両方とも縦搬送解除カバーが不意に開閉しなくなり、移動作業者が怪我をする危険が少なく、縦搬送カバーの破損が避けられるという効果がある。
【００２３】
請求項２に係る画像形成装置は、以上説明してきたように、装置本体の移動時に縦搬送解除カバーが不意に開閉しなくなり、移動作業者が怪我をする危険が少なくなり、縦搬送解除カバーの破損が避けられるようになるという効果がある。
また、装置本体の縦搬送解除カバーと給紙バンクの縦搬送解除カバーを接続して開閉を連動させるようにしたので、移動時に装置本体と給紙バンク双方の縦搬送解除カバーが開かなくなり、上記共通の効果に加え、縦搬送部に生ずる転写紙ジャムに対し一度で迅速に処理できるようになるという効果がある。
さらに、給紙バンクを装置本体から分離した時に給紙トレイを固定するので、給紙バンクの移動時に給紙トレイが不意に突出しなくなり、移動作業者が怪我をする危険が少なく、給紙トレイの破損が避けられるという効果がある。
【００２４】
請求項３に係る画像形成装置は、以上説明してきたように、給紙バンクを装置本体から分離した時に給紙バンクの縦搬送解除カバーを固定して開放不能とするので、装置本体と給紙バンクを分離して移動させている時に、両方とも縦搬送解除カバーが不意に開閉しなくなり、移動作業者が怪我をする危険が少なく、縦搬送カバーの破損が避けられるという効果がある。
【図面の簡単な説明】
【図１】本発明の第１の実施形態の斜視図である
【図２】図１の実施形態の把手の斜視図である。
【図３】図１の実施形態の把手を収納した時の把手と縦搬送解除カバーとの関係を示す概略斜視図である。
【図４】図１の実施形態の把手を引き出した時の把手と縦搬送解除カバーとの関係を示す概略斜視図である。
【図５】本発明の第２の実施形態の斜視図である。
【図６】本発明の第３の実施形態の斜視図である。
【図７】本発明の第４の実施形態の斜視図である。
【符号の説明】
１  画像形成装置
２  給紙バンク
３  縦搬送解除カバー
４  縦搬送解除カバー
５  把手
６  グリップ部
７  切り開き部
８  ヒンジ
９  回転支点
１０  曲げ部
１１  ピン
１２  穴
１３  押し出しピン
１４  受け部
１５  突き上げピン
１６  バネ
１７  固定ピン
１８  貫通孔
１９  押し出しピン
２０  受け部
２１  突き上げピン
２２  バネ
２３  固定ピン
２４  給紙トレイ
２５  底面
２６  係合穴
２７  原稿読み取り部
２８  給紙トレイ
【図１】
0003629331.tif 000002
【図２】
0003629331.tif 000003
【図３】
0003629331.tif 000004
【図４】
0003629331.tif 000005
【図５】
0003629331.tif 000006
【図６】
0003629331.tif 000007
【図７】
0003629331.tif 000008